(57)【要約】      （修正有）【課題】環状流量回転切替リングを備えた火炎放射器を提供する。【解決手段】本体２０及び流量回転切替リングを備えており、本体内にはガス出口モジュールが設置され、ガス出口モジュールには流量調節部材が設置され、流量調節部材は回転可能であり、流量回転切替リングは本体と相対的に回転可能であり、流量回転切替リングは接続部、第１連結アーム及び回転切替部を備えており、接続部は流量調節部材の回転を連動可能に流量調節部材と接続され、第１連結アームの一端は接続部に接続され、回転切替部３３は第１連結アームの接続部と反対側の一端に接続され、回転切替部は本体の外壁面を取り巻いて少なくとも半周しており、上述の構造によって火炎放射器１０の流量回転切替リングが使用者に便利な回転切替ができる。【選択図】図１
0003224838.tif 000002
【実用新案登録請求の範囲】
【請求項１】
本体と流量回転切替リングとを備える火炎放射器であって、
前記本体内にガス出口モジュールが設置され、前記ガス出口モジュールには流量調節部材が設置され、前記流量調節部材は回転可能であり、
前記流量回転切替リングは前記本体と相対的に回転可能であり、前記流量回転切替リングは接続部、第１連結アーム及び回転切替部を備えており、前記接続部は前記流量調節部材の回転を連動可能に前記流量調節部材と接続され、前記第１連結アームの一端は前記接続部に接続され、前記回転切替部は前記第１連結アームの前記接続部と反対側の一端に接続され、前記回転切替部は前記本体の外壁面を取り巻いて少なくとも半周していることを特徴とする、火炎放射器。
【請求項２】
前記回転切替部は前記本体の外壁面を取り巻いて一周していることを特徴とする、請求項１に記載の火炎放射器。
【請求項３】
前記本体はグリップ、火口ヘッド及び燃料容器を備えており、前記ガス出口モジュールの一端は前記燃料容器に接続され、且つ前記燃料容器の内部空間と連通しており、他端は前記火口ヘッドの燃料流路に接続され、前記燃料容器は前記グリップ内に設置され、前記火口ヘッドは前記グリップに設置され、前記グリップの前記火口ヘッドに近接する側には第１接続凸縁が突設され、前記グリップには第１枢動開口部が設けられ、前記第１枢動開口部は前記第１接続凸縁と隣接しており、前記第１連結アームは前記第１枢動開口部内に設置され、前記流量回転切替リングが回転すると、前記第１連結アームが前記第１枢動開口部内を移動することができ、前記グリップの前記火口ヘッドに近接する側には第２接続凸縁が突設され、前記火口ヘッドは前記第１接続凸縁と前記第２接続凸縁に同時に接続され、前記グリップには第２枢動開口部が設けられ、前記第１枢動開口部は前記第１接続凸縁のうちの一端と前記第２接続凸縁のうちの一端との間に位置し、前記第２枢動開口部は前記第１接続凸縁のうち前記第１枢動開口部と反対側の一端と前記第２接続凸縁のうち前記第１枢動開口部と反対側の一端との間に位置し、前記流量回転切替リングには第２連結アームが設置され、前記第２連結アームの一端は前記接続部に接続され、且つ他端は前記回転切替部に接続され、前記第１連結アームと前記第２連結アームは前記接続部の両側に別々に位置しており、前記第２連結アームは前記第２枢動開口部内に設置され、前記流量回転切替リングが回転すると、前記第２連結アームが前記第２枢動開口部内を移動することができ、前記燃料容器の前記火口ヘッドに近接する一端にはストッパ凸縁が設けられ、前記ストッパ凸縁は前記第１接続凸縁と前記第２接続凸縁の間に位置し、前記流量回転切替リングは第１位置と第２位置の間で前記本体と相対的に回転可能であり、前記流量回転切替リングが第１位置にある場合、前記第１連結アームが前記ストッパ凸縁に当接し、前記第２連結アームは前記ストッパ凸縁と離れており、前記流量回転切替リングが第２位置にある場合、前記第２連結アームが前記ストッパ凸縁に当接し、前記第１連結アームは前記ストッパ凸縁と離れており、前記流量調節部材の外周縁には外歯部が設けられ、前記接続部にはスリーブ接続孔が設けられ、前記スリーブ接続孔の内周縁には内歯部が設けられ、前記スリーブ接続孔は前記流量調節部材の外周縁にスリーブ接続され、前記内歯部が前記外歯部と噛み合うことを特徴とする、請求項１又は請求項２に記載の火炎放射器。
【考案の詳細な説明】
【技術分野】
【０００１】
本考案は主に火炎放射器を開示するものであり、特に環状流量回転切替リングを備えた火炎放射器に関するものである。
【背景技術】
【０００２】
特許文献１の特許案件が開示している「バーナー」を参照すると、バーナーは楕円柱状を呈するガスシリンダーを含み、上端面は一体成型された制御部を有し、下端面は滑らかな曲面で台座と連結され、ガスシリンダーの前方表面は本体材質とは異なる四辺形形状の外縁を有し、四辺形はガスシリンダーの両側に対称に延在し、四辺形の対称な円弧辺からは複数の浅い溝がそれぞれ別々にガスシリンダーの斜め下後方に向かって延在し、ガスシリンダーの片側は、四辺形の隅に平行な細長い円弧状の凹みを有し、制御部は尻上がりになった端部及びランプシェードのような後蓋を有し、後蓋は端部に横向きに接続され、後蓋の端面はドーム型ボタンを有し、ボタンの下方には安全スイッチが設置され、端部表面の接続口付近には複数の円弧状の通気口が対称に設けられ、そのうち片面の端部には空気供給量を制御する押しボタンが設置され、その押しボタンと対照であるもう一方の側の表面にはガス流量を調節するつまみが設置され、端部の接続口にはさらに円環型接続部材が設置され、その接続部材の表面には複数の溝が縦方向に周設され、接続部材の接続口には火口ノズルが設置されている。
【０００３】
しかし、上述の構造を採用したバーナーは、左右両側にそれぞれ空気供給量を制御する押しボタンとガス流量を調節するつまみが設置されているが、使用者の大多数は右手が利き手であり、バーナーを右手で把持した場合、右手の人差し指や親指ではつまみに触れにくく、ガス流量を調節する動作が片手では行えない上に、バーナーを左手で把持したとしても左手の親指でガス流量を調節する操作しか行うことができない。
【先行技術文献】
【特許文献】
【０００４】
【特許文献１】台湾意匠登録第１２１０８５号
【考案の概要】
【課題を解決するための手段】
【０００５】
本考案の環状流量回転切替リングを備えた火炎放射器は、本体及び流量回転切替リングを備えた火炎放射器を提供し、本体内にはガス出口モジュールが設置され、ガス出口モジュールには流量調節部材が設置され、流量調節部材は回転可能であり、流量回転切替リングは本体と相対的に回転可能であり、流量回転切替リングは接続部、第１連結アーム及び回転切替部を備えており、接続部は流量調節部材の回転を連動可能に流量調節部材と接続され、第１連結アームの一端は接続部に接続され、回転切替部は第１連結アームの接続部と反対側の一端に接続され、回転切替部は本体の外壁面を取り巻いて少なくとも半周しており、上述の構造によって火炎放射器の流量回転切替リングが使用者に便利な回転切替を提供できるようにすることを主な目的としている。
【０００６】
回転切替部は本体の外壁面を取り巻いて一周している。
【０００７】
本体はグリップ、火口ヘッド及び燃料容器を備えており、ガス出口モジュールの一端は燃料容器に接続され、且つ燃料容器の内部空間と連通しており、他端は火口ヘッドの燃料流路に接続され、燃料容器はグリップ内に設置され、火口ヘッドはグリップに設置されている。
【０００８】
グリップの火口ヘッドに近接する側には第１接続凸縁が突設され、グリップには第１枢動開口部が設けられ、第１枢動開口部は第１接続凸縁と隣接しており、第１連結アームは第１枢動開口部内に設置され、流量回転切替リングが回転すると、第１連結アームが第１枢動開口部内を移動することができる。
【０００９】
グリップの火口ヘッドに近接する側には第２接続凸縁が突設され、火口ヘッドは第１接続凸縁と第２接続凸縁に同時に接続され、グリップには第２枢動開口部が設けられ、第１枢動開口部は第１接続凸縁のうちの一端と第２接続凸縁のうちの一端との間に位置し、第２枢動開口部は第１接続凸縁のうち第１枢動開口部と反対側の一端と第２接続凸縁のうち第１枢動開口部と反対側の一端との間に位置し、流量回転切替リングには第２連結アームが設置され、第２連結アームの一端は接続部に接続され、且つ他端は回転切替部に接続され、第１連結アームと第２連結アームは接続部の両側に別々に位置しており、第２連結アームは第２枢動開口部内に設置され、流量回転切替リングが回転すると、第２連結アームが第２枢動開口部内を移動することができる。
【００１０】
燃料容器の火口ヘッドに近接する一端にはストッパ凸縁が設けられ、ストッパ凸縁は第１接続凸縁と第２接続凸縁の間に位置し、流量回転切替リングは第１位置と第２位置の間で本体と相対的に回転可能であり、流量回転切替リングが第１位置にある場合、第１連結アームがストッパ凸縁に当接し、第２連結アームはストッパ凸縁と離れており、流量回転切替リングが第２位置にある場合、第２連結アームがストッパ凸縁に当接し、第１連結アームはストッパ凸縁と離れている。
【００１１】
流量調節部材の外周縁には外歯部が設けられ、接続部にはスリーブ接続孔が設けられ、スリーブ接続孔の内周縁には内歯部が設けられ、スリーブ接続孔は流量調節部材の外周縁にスリーブ接続され、内歯部が外歯部と噛み合う。
【図面の簡単な説明】
【００１２】
【図１】本考案の環状流量回転切替リングを備えた火炎放射器の立体外観図である。
【図２】本考案の環状流量回転切替リングを備えた火炎放射器の立体分解図である。
【図３】本考案の環状流量回転切替リングを備えた火炎放射器の断面構造図である。
【図４】本考案の環状流量回転切替リングを備えた火炎放射器において、流量回転切替リングが第１位置にある使用状態図である。
【図５】本考案の環状流量回転切替リングを備えた火炎放射器において、流量回転切替リングを第２位置に回転切替する動作図である。
【考案を実施するための形態】
【実施例】
【００１３】
図１〜図５に示す本考案の環状流量回転切替リングを備えた火炎放射器の立体外観図、立体分解図、断面構造図、使用状態図及び動作図を参照する。本考案の火炎放射器１０は、本体２０及び流量回転切替リング３０を備えている。
【００１４】
本体２０内にはガス出口モジュール２１が設置され、ガス出口モジュール２１には流量調節部材２１１が設置され、流量調節部材２１１は回転可能であり、流量調節部材２１１を回転させるとガス出口モジュール２１の流量を変えることができ、流量調節部材２１１の外周縁には外歯部２１２が設けられている。
【００１５】
本体２０はグリップ２２、火口ヘッド２３及び燃料容器２４を備えており、ガス出口モジュール２１の一端は燃料容器２４に接続され、且つ燃料容器２４の内部空間と連通しており、他端は火口ヘッド２３の燃料流路に接続され、燃料容器２４はグリップ２２内に設置され、火口ヘッド２３はグリップ２２に設置されている。
【００１６】
グリップ２２の火口ヘッド２３に近接する側には第１接続凸縁２２１が突設され、グリップ２２には第１枢動開口部２２２が設けられ、第１枢動開口部２２２は第１接続凸縁２２１と隣接している。
【００１７】
グリップ２２の火口ヘッド２３に近接する側には第２接続凸縁２２３が突設され、火口ヘッド２３は第１接続凸縁２２１と第２接続凸縁２２３に同時に接続され、グリップ２２には第２枢動開口部２２４が設けられ、第１枢動開口部２２２は第１接続凸縁２２１のうちの一端と第２接続凸縁２２３のうちの一端との間に位置し、第２枢動開口部２２４は第１接続凸縁２２１のうち第１枢動開口部２２２と反対側の一端と第２接続凸縁２２３のうち第１枢動開口部２２２と反対側の一端との間に位置している。
【００１８】
燃料容器２４の火口ヘッド２３に近接する一端にはストッパ凸縁２４１が設けられ、ストッパ凸縁２４１は第１接続凸縁２２１と第２接続凸縁２２３の間に位置している。
【００１９】
流量回転切替リング３０は第１位置と第２位置の間で本体２０と相対的に回転可能であり、流量回転切替リング３０は接続部３１、第１連結アーム３２及び回転切替部３３を備えており、接続部３１は流量調節部材２１１の回転を連動可能に流量調節部材２１１と接続され、第１連結アーム３２の一端は接続部３１に接続され、回転切替部３３は第１連結アーム３２の接続部３１と反対側の一端に接続され、回転切替部３３は本体２０の外壁面を取り巻いて少なくとも半周しており、本実施例では、回転切替部３３は本体２０の外壁面を取り巻いて一周している。
【００２０】
接続部３１にはスリーブ接続孔３１１が設けられ、スリーブ接続孔３１１の内周縁には内歯部３１２が設けられ、スリーブ接続孔３１１は流量調節部材２１１の外周縁にスリーブ接続され、内歯部３１２が外歯部２１２と噛み合う。
【００２１】
第１連結アーム３２は第１枢動開口部２２２内に設置され、流量回転切替リング３０が回転すると、第１連結アーム３２が第１枢動開口部２２２内を移動することができる。
【００２２】
流量回転切替リング３０には第２連結アーム３４が設置され、第２連結アーム３４の一端は接続部３１に接続され、且つ他端は回転切替部３３に接続され、第１連結アーム３２と第２連結アーム３４は接続部３１の両側に別々に位置しており、第２連結アーム３４は第２枢動開口部２２４内に設置され、流量回転切替リング３０が回転すると、第２連結アーム３４が第２枢動開口部２２４内を移動することができる。
【００２３】
流量回転切替リング３０が第１位置にある場合、第１連結アーム３２がストッパ凸縁２４１に当接し、第２連結アーム３４はストッパ凸縁２４１と離れており、流量回転切替リング３０が第２位置にある場合、第２連結アーム３４がストッパ凸縁２４１に当接し、第１連結アーム３２はストッパ凸縁２４１と離れている。
【００２４】
上述の構造によって火炎放射器１０の流量回転切替リング３０が使用者に便利な回転切替を提供することができる。回転切替部３３が本体２０を取り巻いて一周しているので、使用者はグリップ２２を把持したときに人差し指や親指で流量回転切替リング３０の回転切替を行うことができ、調節操作を行う際の手の姿勢、角度も限定されず、特に流量回転切替リング３０は左右どちらの手でも使用できるので、全ての使用者に対して同じ効果を実現することができる。
【００２５】
上述を要約すると、本考案は以下の利点を有する。
【００２６】
（１）本考案の環状流量回転切替リングを備えた火炎放射器にあっては、火炎放射器が本体及び流量回転切替リングを備えており、本体内にはガス出口モジュールが設置され、ガス出口モジュールには流量調節部材が設置され、流量調節部材は回転可能であり、流量回転切替リングは本体と相対的に回転可能であり、流量回転切替リングは接続部、第１連結アーム及び回転切替部を備えており、接続部は流量調節部材の回転を連動可能に流量調節部材と接続され、第１連結アームの一端は接続部に接続され、回転切替部は第１連結アームの接続部と反対側の一端に接続され、回転切替部は本体の外壁面を取り巻いて一周しており、上述の構造によって火炎放射器の流量回転切替リングが使用者に便利な回転切替を提供することができる。
【符号の説明】
【００２７】
１０  火炎放射器
２０  本体
２１  ガス出口モジュール
２１１  流量調節部材
２１２  外歯部
２２  グリップ
２２１  第１接続凸縁
２２２  第１枢動開口部
２２３  第２接続凸縁
２２４  第１枢動開口部
２３  火口ヘッド
２４  燃料容器
２４１  ストッパ凸縁
３０  流量回転切替リング
３１  接続部
３１１  スリーブ接続孔
３１２  内歯部
３２  第１連結アーム
３３  回転切替部
３４  第２連結アーム
【図１】
0003224838.tif 000003
【図２】
0003224838.tif 000004
【図３】
0003224838.tif 000005
【図４】
0003224838.tif 000006
【図５】
0003224838.tif 000007